(57)【特許請求の範囲】
【請求項１】
揮散性薬剤の輸送部材である揮散層を備え、揮散性薬剤を保持させるとともに、保持させた揮散性薬剤を表面から揮散させるシート状の揮散部と、該揮散部に設けられ、外部から見えないように位置し、内部に揮散性薬剤が収容される液溜め部と、前記揮散部に設けられ、前記液溜め部との間で揮散性薬剤が相互に流通して揮散性薬剤の残量を経時的に表示する、内部に揮散性薬剤が収容される表示部とを備え、前記揮散部は、シート状の基層の表面に揮散層が積層されてなり、前記液溜め部は、側面に設けられる開口部が前記揮散部の揮散層により被覆され、前記表示部は、側面に設けられる開口部が前記揮散部の揮散層により被覆され、かつ、両開口部の下端が略同一高さに形成されていることを特徴とする薬剤揮散容器。
【請求項２】
前記液溜め部が、折り曲げられた前記揮散部の内側に位置する請求項１記載の薬剤揮散容器。
【請求項３】
揮散性薬剤が流通可能であるとともに、全長に亘って開口部を備える輸送管を用い、その一端を前記表示部内に連結するとともに、その全長に亘って開口部を前記揮散部の揮散層により被覆することにより前記揮散部と前記表示部とを相互に連結した請求項１記載の薬剤揮散容器。
【請求項４】
揮散性薬剤が流通可能であるとともに、全長に亘って開口部を備える輸送管を用い、その一端を前記液溜め部内に連結するとともに、その全長に亘って開口部を前記揮散部の揮散層により被覆することにより前記揮散部と前記液溜め部とを相互に連結した請求項１記載の薬剤揮散容器。
【請求項５】
揮散性物質の輸送部材である揮散層を備え、揮散性物質を保持させるとともに、保持させた揮散性物質を表面から揮散させるシート状の揮散部と、該揮散部に設けられ、外部から見えないように位置し、内部に揮散性物質が収容される液溜め部と、前記揮散部に設けられ、前記液溜め部との間で揮散性物質が相互に流通して揮散性物質の残量を経時的に表示する、内部に揮散性物質が収容される表示部とを備え、前記揮散部は、シート状の基層の表面に揮散層が積層されてなり、前記液溜め部は、側面に設けられる開口部が前記揮散部の揮散層により被覆され、前記表示部は、側面に設けられる開口部が前記揮散部の揮散層により被覆され、かつ、両開口部の下端が略同一高さに形成されていることを特徴とするインジケーター。
【発明の詳細な説明】
【０００１】
【発明の属する技術分野】
この発明は薬剤揮散容器及びインジケーターに関し、特に、液状又はゾル状の様な流動性のある揮散性薬剤を揮散させる揮散部材の揮散性薬剤の残量を経時的に確認することができる薬剤揮散容器及びインジケーターに関するものである。
【０００２】
【従来の技術】
防虫剤等の揮散性薬剤を揮散させる揮散装置の一例が実開平５−６７２６５号に記載されている。この揮散装置は、容器本体と、容器本体の内部に差込み状態で装着されるインジケーター機能を有する防虫剤マットとを備えたものであって、容器本体の揮散孔を介して防虫剤マットを空気と接触させることにより、防虫剤マットに含浸させた揮散性薬剤を空気中に揮散させ、揮散性薬剤による薬効が得られるように構成したものである。
【０００３】
【発明が解決しようとする課題】
しかしながら、このような構成の揮散装置にあっては、防虫剤マットがインジケーター機能を有しているものの、そのインジケーター機能は、一定期間経過後に変色して揮散性薬剤の揮散終点を表示するものであるため、揮散性薬剤の揮散始点から終点までを経時的に確認することができない。また、インジケーター部は見にくい箇所に設けられており、しかも表示面積が小さいものであるため、例えば洋服ダンス等に使用した場合に、交換時期を見落としてしまい、薬効が完全に消失したままの状態で使用を続けてしまうことが多々ある。また、このような揮散装置は、インジケーターと揮散性薬剤とが連動していないため、商品設計の段階でインジケーターの終点と揮散性薬剤の終点を同期させておく必要があるが、あらゆる使用条件でインジケーターの終点と揮散性薬剤の終了を同期させるのは困難であった。従って、使用条件によっては、未だ揮散性薬剤が残っているにも関わらずインジケーターが終了を表示してしまい、廃棄若しくは交換してしまって薬剤が無駄になってしまったり、薬剤が終了しているにも関わらずインジケーターが未だ終了を表示していないために、薬効が得られない状態で使用を続けてしまい、防虫剤等の場合は虫に食われてしまうといった問題が生じていた。
【０００４】
本発明は、上記のような従来のもののもつ問題を解決したものであって、揮散性薬剤の揮散始点から終点まで経時的に表示することができるとともに、揮散性薬剤の残量を容易に確実に確認することができ、これにより薬剤が残っているにも関わらず廃棄してしまうような無駄や、薬効が完全になくなったままの状態で使用を続けるようなことを確実に防止することができる薬剤揮散容器及びインジケーターを提供することを目的とするものである。
【０００５】
【課題を解決するための手段】
本発明による薬剤揮散容器は、上記の目的を達成するために、揮散性薬剤の輸送部材である揮散層を備え、揮散性薬剤を保持させるとともに、保持させた揮散性薬剤を表面から揮散させるシート状の揮散部と、該揮散部に設けられ、外部から見えないように位置し、内部に揮散性薬剤が収容される液溜め部と、前記揮散部に設けられ、前記液溜め部との間で揮散性薬剤が相互に流通して揮散性薬剤の残量を経時的に表示する、内部に揮散性薬剤が収容される表示部とを備え、前記揮散部は、シート状の基層の表面に揮散層が積層されてなり、前記液溜め部は、側面に設けられる開口部が前記揮散部の揮散層により被覆され、前記表示部は、側面に設けられる開口部が前記揮散部の揮散層により被覆され、かつ、両開口部の下端が略同一高さに形成されている手段を採用したものである。また、前記液溜め部が、折り曲げられた前記揮散部の内側に位置する手段を採用したものである。さらに、揮散性薬剤が流通可能であるとともに、全長に亘って開口部を備える輸送管を用い、その一端を前記表示部内に連結するとともに、その全長に亘って開口部を前記揮散部の揮散層により被覆することにより前記揮散部と前記表示部とを相互に連結した手段を採用したものである。さらに、揮散性薬剤が流通可能であるとともに、全長に亘って開口部を備える輸送管を用い、その一端を前記液溜め部内に連結するとともに、その全長に亘って開口部を前記揮散部の揮散層により被覆することにより前記揮散部と前記液溜め部とを相互に連結した手段を採用したものである。また、本発明によるインジケーターは、上記の目的を達成するために、揮散性物質の輸送部材である揮散層を備え、揮散性物質を保持させるとともに、保持させた揮散性物質を表面から揮散させるシート状の揮散部と、該揮散部に設けられ、外部から見えないように位置し、内部に揮散性物質が収容される液溜め部と、前記揮散部に設けられ、前記液溜め部との間で揮散性物質が相互に流通して揮散性物質の残量を経時的に表示する、内部に揮散性物質が収容される表示部とを備え、前記揮散部は、シート状の基層の表面に揮散層が積層されてなり、前記液溜め部は、側面に設けられる開口部が前記揮散部の揮散層により被覆され、前記表示部は、側面に設けられる開口部が前記揮散部の揮散層により被覆され、かつ、両開口部の下端が略同一高さに形成されている手段を採用したものである。
【０００６】
【作用】
本発明は、上記のような手段を採用したことにより、揮散部に連動して揮散部の揮散性薬剤の残量が表示部に経時的に表示されることになるので、表示部を目視することにより揮散部の揮散性薬剤の残量を経時的に確認することができる。この場合、揮散部と表示部とは、揮散性薬剤が流通可能な輸送部材により相互に連結されることになる。
また、液溜め部は揮散部に連動することになるので、揮散部のみから揮散性薬剤を揮散させる場合よりも、揮散性薬剤の揮散量を増やすことができる。また、表示部を目視することにより液溜め部の揮散性薬剤の残量を経時的に確認することができる。この場合、揮散部と液溜め部とは、揮散性薬剤が流通可能な輸送部材により相互に連結されることになる。
さらに、揮散部及び輸送部材は折り曲げ可能な素材からなるので、揮散部材を任意の形状に折り曲げてケース内に収納することができるので、表示部及び液溜め部を有していても、全体をコンパクトにしてケース内に収納することができる。
【０００７】
【発明の実施の形態】
以下、図面に示す本発明の実施の形態について説明する。
図１〜図７には、本発明による薬剤揮散容器の一実施の形態が示されていて、この薬剤揮散容器１は、揮散部３と表示部７と液溜め部８とからなる揮散部材２と、揮散部材２を収納するケース１０とを備えている。
【０００８】
揮散部３は、図３、図４及び図５に示すように、シート状の基層４と、基層４の表面に積層されるシート状の輸送部材である揮散層５と、揮散層５の表面に積層されるシート状の被覆層６とからなり、揮散層５には揮散性薬剤が含浸されるようになっている。
【０００９】
基層４は、気体（空気）を透過させず、揮散性薬剤を透過させる特性を有する素材、又は、気体（空気）を透過させず、揮散性薬剤を透過させない特性を有する素材から形成されている。
【００１０】
基層４の素材としては、ポリエチレン、ポリプロピレン、ポリエステル、ナイロン、ＥＶＡ、塩化ビニル、ポリメチルペンテン等が挙げられる。これらの素材は、使用する揮散性薬剤の種類によって透過性又は不透過性を示すものであるので、使用する揮散性薬剤の種類に応じて適宜の素材を選択すれば良い。
【００１１】
揮散層５は、揮散性薬剤を含浸させ得る素材からなるものであって、本実施の形態では、薬剤透過性シート５ａと揮散促進シート５ｂからなる２層より構成されている。薬剤透過性シート５ａは、揮散層５の基層４側に設けられ、揮散性薬剤を含浸し、且つ空気は透過しないが薬剤を透過し得るシートであり、素材としては、ポリエチレン、ポリプロピレン、ＥＶＡ等が挙げられる。揮散促進シート５ｂは、薬剤透過性シート５ａの上面に一体的に設けられ、薬剤を含浸可能であれば使用することができる。素材としては、例えば、織布、不織布、紙、スポンジ、繊維物等が挙げられるが、これに限定することなく、同様の機能を有するものであれば良い。
【００１２】
被覆層６は、揮散性薬剤を透過させない特性を有する素材からなるものであって、揮散層５からの揮散性薬剤の揮散を開始するときに、図６及び図７に示すように、揮散層５の表面から剥がすようになっている。
【００１３】
被覆層６の素材としては、ポリエチレン、ポリプロピレン、ポリエステル、ナイロン、ＥＶＡ、塩化ビニル、ポリメチルペンテン等が挙げられる。これらの素材は、使用する揮散性薬剤の種類によって透過性又は不透過性を示すものであるので、使用する揮散性薬剤の種類に応じて適宜の素材を選択すれば良い。
【００１４】
揮散性薬剤は、液状、ゾル状の様な流動性のあるものであって、揮散部３の揮散層５及び後述する表示部７及び液溜め部８に含浸、保持されるようになっている。
【００１５】
表示部７は、揮散部３の基層４の長手方向の一端部の裏面側に一体に設けられる半円柱状をなすものであって、表示部７の内側には基層４の表面側に開口する半円柱状の空間である薬剤収容室７ａが設けられ、この薬剤収容室７ａ内に揮散性薬剤が収容されるようになっている。なお、表示部７は半円柱状に限らず、他の形状（角柱状等）としても良い。
【００１６】
表示部７の開口部は揮散部３の揮散層５によって被覆され、表示部７の薬剤収容室７ａ内に収容される揮散性薬剤が揮散層５に含浸されるようになっている。すなわち、表示部７の薬剤収容室７ａと揮散層５との間で揮散性薬剤が相互に流通するようになっている。この場合、表示部７の開口部の全長（使用時には全高となる）は、揮散層５の全幅（使用時には全高となる）に対応する値に設定されているので、揮散開始時及び終了時における表示部７の液面位置と揮散部材２全体の保持量を一致させることができる。従って、表示部７の液面位置を目視することにより揮散部材２内の揮散性薬剤の保持量を確認することができることになる。
【００１７】
表示部７は、揮散部３の基層４の一部を凹ませて形成しても良いし、基層４と別体に形成したものを基層４に一体に接合しても良い。表示部７の素材としては、基層４と同様に、ポリエチレン、ポリプロピレン、ポリエステル、ナイロン、ＥＶＡ、塩化ビニル、ポリメチルペンテン等が挙げられる。これらの素材は、使用する揮散性薬剤の種類によって透過性又は不透過性を示すものであるので、使用する揮散性薬剤の種類に応じて適宜の素材を選択すれば良い。
【００１８】
液溜め部８は、表示部７と同様に、揮散部３の基層４の裏面側に一体に設けられる直方体状をなすものであって、液溜め部８の内側には基層４の表面側に開口する直方体状の空間である薬剤収容室８ａが設けられ、この薬剤収容室８ａ内に揮散性薬剤が収容されるようになっている。なお、液溜め部８は直方体状に限らず、他の形状（半円柱状等）としても良い。
【００１９】
液溜め部８の開口部は揮散層５によって被覆され、液溜め部８の薬剤収容室８ａ内に収容された揮散性薬剤は揮散層５に含浸されるようになっている。すなわち、液溜め部８の薬剤収容室８ａと揮散層５との間で揮散性薬剤が相互に流通するようになっている。
【００２０】
液溜め部８は、揮散部３の基層４の一部を凹ませて形成しても良いし、基層４と別体に形成したものを基層４に一体に接合しても良い。液溜め部８の素材としては、揮散部３の基層４と同様に、ポリエチレン、ポリプロピレン、ポリエステル、ナイロン、ＥＶＡ、塩化ビニル、ポリメチルペンテン等が挙げられる。これらの素材は、使用する揮散性薬剤の種類によって透過性又は不透過性を示すものであるので、使用する揮散性薬剤の種類に応じて適宜の素材を選択すれば良い。
【００２１】
液溜め部８の薬剤収容室８ａと表示部７の薬剤収容室７ａとは、揮散性薬剤が流通可能な輸送部材である断面半円形状の輸送管９により連結され、この輸送管９を介して液溜め部８の薬剤収容室８ａと表示部７の薬剤収容室７ａとの間で揮散性薬剤が相互に流通するようになっている。従って、揮散性薬剤は、液溜め部８の薬剤収容室８ａと表示部７の薬剤収容室７ａとの間で、輸送管９と揮散部３の揮散層５との協働により相互に流通するものである。なお、輸送管９は、断面半円形状に限らず、他の形状（断面三角状、断面四角状等）としても良い。
【００２２】
輸送管９は、揮散部３の基層４の一部を凹ませて形成しても良いし、揮散部３の揮散層５を凹ませて形成しても良い。また、基層４と別体に形成したものを基層４に一体に接合しても良い。輸送管９は、液溜め部８の薬剤収容室８ａと表示部７の薬剤収容室７ａとの間以外の基層４の部分にも設けられ、この輸送管９の開口部も揮散層５により被覆されるようになっている。
【００２３】
輸送管９の素材としては、揮散部３の基層４と同様に、ポリエチレン、ポリプロピレン、ポリエステル、ナイロン、ＥＶＡ、塩化ビニル、ポリメチルペンテン等が挙げられる。これらの素材は、使用する揮散性薬剤の種類によって透過性又は不透過性を示すものであるので、使用する揮散性薬剤の種類に応じて適宜の素材を選択すれば良い。
【００２４】
ケース１０は、前面側が開口するとともに、側面側に内外を貫通する複数の揮散孔１２が設けられ、かつ上面側にＣ型状のフック１３が一体に設けられる箱状のケース本体１１と、ケース本体１１の前面開口部に取り付けられ、ケース本体１１の開口部を開閉する後面側が開口する箱状の蓋１４とから構成され、蓋１４の前面側には内外を貫通する覗き窓１５が設けられ、覗き窓１５の上縁部及び下縁部にはそれぞれ上端又は下端が閉塞された半環状の支持部１５ａ、１５ｂが一体に設けられている。この場合、ケース本体１１は、前面側から後面側に向かって順次薄くなる箱状に形成され、蓋１４の覗き窓１５は、蓋１４の前面側周縁部を除くほぼ全体に設けられている。ケース本体１１及び蓋１４の素材としては、各種の合成樹脂が挙げられるが、それ以外の素材であっても良い。
【００２５】
そして、上記のように構成した揮散部材２を、図２に示すように、表示部７の近傍をほぼ直角に折り曲げて表示部７を手前側に位置させ、液溜め部８の近傍から二つに折り曲げて液溜め部８を内側に位置させ、この状態で表示部７が手前側に位置するように前記ケース１０のケース本体１１内に挿入し、蓋１４を閉めて表示部７の上下端部を支持部１５ａ、１５ｂにより支持し、表示部７を覗き窓１５から露出させ、この実施の形態による薬剤揮散容器１を構成する。
【００２６】
そして、上記のように構成した薬剤揮散容器１を、図６及び図７に示すように、揮散部材２の揮散層５の表面から被覆層６を剥がした状態でフック１３を介して洋服ダンス等の内部に設置すると、揮散部３の揮散層５に含浸されている揮散性薬剤が揮散層５の表面から揮散を開始し、ケース本体１１の揮散孔１２を介して洋服ダンス等の内部に揮散性薬剤の成分が漂い、揮散性薬剤の薬効成分が得られることになる。
【００２７】
そして、揮散性薬剤の揮散が進行すると、揮散部材２の全体の内部に保持されている揮散性薬剤の保持量が徐々に減少し、揮散部材２全体の内部に保持されている揮散性薬剤の保持量の減少に追従して表示部７の液面位置が低下する。そして、揮散層５に含浸されている揮散性薬剤が殆ど消費されると、それに追従して表示部７の液面位置も最低になり、揮散性薬剤の揮散終点となる。
【００２８】
上記のように構成したこの実施の形態による薬剤揮散容器１にあっては、表示部７がケース１０の前面側に位置し、しかもケース１０の蓋１４の前面側のほぼ全体を占めている覗き窓１５から露出しているので、ケース１０の前面側から揮散性薬剤の残量を容易に目視することができることになる。
【００２９】
また、表示部７の液面位置と揮散部材２の保持量とが一致しているので、表示部７を目視することにより、揮散の開始点から終点まで揮散部材２内の揮散性薬剤の保持量を経時的に確認することができることになる。
【００３０】
さらに、ケース１０は、前面側から後面側に向かって順次薄く形成されているので、洋服ダンス等の内部に装着する場合に、洋服等が掛けられた状態のままでも容易に装着することが可能となり、洋服ダンス等への装着が容易となる。
【００３１】
さらに、ケース１０の前面側に蓋１４が設けられているので、洋服ダンス等の内部に装着したままの状態で揮散性部材２の交換が可能となる。
【００３２】
さらに、揮散部材２は、折り曲げ可能となっているので、液溜め部８が内側に位置するように折りたたんでケース１０内に収容することができるので、ケース１０の容積を小さくすることができ、全体をコンパクトにすることができることになる。
【００３３】
さらに、前記実施の形態において、揮散性薬剤の代わりに揮散性物質を使用し、薬剤揮散容器をインジケーターとして機能させても良いものである。
【００３４】
【発明の効果】
本発明による薬剤揮散容器は、請求項１のように構成して、揮散性薬剤の輸送部材である揮散層を備え、揮散性薬剤を保持させるとともに、保持させた揮散性薬剤を表面から揮散させるシート状の揮散部と、該揮散部に設けられ、外部から見えないように位置し、内部に揮散性薬剤が収容される液溜め部と、前記揮散部に設けられ、前記液溜め部との間で揮散性薬剤が相互に流通して揮散性薬剤の残量を経時的に表示する、内部に揮散性薬剤が収容される表示部とを備え、前記揮散部は、シート状の基層の表面に揮散層が積層されてなり、前記液溜め部は、側面に設けられる開口部が前記揮散部の揮散層により被覆され、前記表示部は、側面に設けられる開口部が前記揮散部の揮散層により被覆され、かつ、両開口部の下端が略同一高さに形成されていることにより、揮散部に含浸され或いは液溜め部に収容されている揮散性薬剤の保持量が表示部に経時的に表示されることになるので、表示部を目視することにより、揮散性薬剤の残量を経時的に確認することができることになる。従って、揮散性薬剤が残っているにも関わらず廃棄してしまうような無駄や、揮散性薬剤がなくなったままの状態で使用を続けるようなことがなくなる。また、内部に揮散性薬剤が収容される液溜め部を備えたことにより、揮散性薬剤の保持量を増やすことができる。また、請求項２のように構成して揮散部材を任意の形状に折りたたんでケース内に収納することができるので、ケースの容積を小さくすることができ、ケース全体をコンパクト化することができることになる。さらに、請求項３のように構成して、揮散性薬剤が流通可能であるとともに、全長に亘って開口部を備える輸送管を用い、その一端を前記表示部内に連結するとともに、その全長に亘って開口部を前記揮散部の揮散層により被覆することにより前記揮散部と前記表示部とを相互に連結したことにより、揮散部と表示部との間で揮散性薬剤を確実に流通させることができるので、表示部における表示を確実なものとすることができ、信頼性の高い表示を提供することができることになる。さらに、請求項４のように構成して、揮散性薬剤が流通可能であるとともに、全長に亘って開口部を備える輸送管を用い、その一端を前記液溜め部内に連結するとともに、その全長に亘って開口部を前記揮散部の揮散層により被覆することにより前記揮散部と前記液溜め部とを相互に連結したことにより、揮散部と液溜め部との間で揮散性薬剤を確実に流通させることができるので、表示部における表示を確実なものとすることができ、信頼性の高い表示を提供することができることになる。さらに、本発明によるインジケーターは、請求項５のように構成して、揮散性物質の輸送部材である揮散層を備え、揮散性物質を保持させるとともに、保持させた揮散性物質を表面から揮散させるシート状の揮散部と、該揮散部に設けられ、外部から見えないように位置し、内部に揮散性物質が収容される液溜め部と、前記揮散部に設けられ、前記液溜め部との間で揮散性物質が相互に流通して該揮散部の揮散性物質の残量を経時的に表示する、内部に揮散性物質が収容される表示部とを備え、前記揮散部は、シート状の基層の表面に揮散層が積層されてなり、前記液溜め部は、側面に設けられる開口部が前記揮散部の揮散層により被覆され、前記表示部は、側面に設けられる開口部が前記揮散部の揮散層により被覆され、かつ、両開口部の下端が略同一高さに形成されていることにより、揮散部に連動して、揮散部に含浸され或いは液溜め部に収容されている揮散性物質の保持量が表示部に経時的に表示されることになるので、表示部を目視することにより、揮散性物質の保持量を経時的に確認することができることになる。従って、揮散性物質が残っているにも関わらず廃棄してしまうような無駄や、揮散性物質がなくなったままの状態で使用を続けるようなことがなくなる。
【図面の簡単な説明】
【図１】本発明による薬剤揮散容器の一実施の形態の全体を示した斜視図である。
【図２】本発明による薬剤揮散容器の一実施の形態の揮散部材を示した斜視図である。
【図３】図２に示す揮散部材の展開図である。
【図４】図３のＡ−Ａ線に沿って見た拡大断面図である。
【図５】図４のＢ部の拡大図である。
【図６】図３のＡ−Ａ線に沿って見た拡大断面図であって、被覆層を剥がした状態を示した説明図である。
【図７】図６のＣ部の拡大図である。
【符号の説明】
１……薬剤揮散容器
２……揮散部材
３……揮散部
４……基層
５……揮散層
５ａ……薬剤透過性シート
５ｂ……揮散促進シート
６……被覆層
７……表示部
７ａ、８ａ……薬剤収容室
８……液溜め部
９……輸送管
１０……ケース
１１……ケース本体
１２……揮散孔
１３……フック
１４……蓋
１５……覗き窓
１５ａ、１５ｂ……支持部
【図１】
0004421798.tif 000002
【図２】
0004421798.tif 000003
【図３】
0004421798.tif 000004
【図４】
0004421798.tif 000005
【図５】
0004421798.tif 000006
【図６】
0004421798.tif 000007
【図７】
0004421798.tif 000008